(57)【特許請求の範囲】
【請求項１】
通信ネットワークにおける基地局であって、
複数の物理リソースブロック（ＰＲＢ）を割り当てるスケジューリンググラントをユーザー装置に送信する送信器と、
前記ユーザー装置からデータパケット及び復調基準信号（ＤＭＲＳ）を受信する受信器と、
前記データパケットを送信するために使用される前記複数の物理リソースブロックの少なくとも１つのインデックスと、複数の物理ハイブリッド自動再送要求指示子チャネル（ＰＨＩＣＨ）リソースと前記複数の物理リソースブロックのインデックスと前記複数の復調基準信号のインデックスとの組み合せ間のリンク方式に従う、前記受信される復調基準信号のインデックスに基づいて前記複数の物理ハイブリッド自動再送要求指示子チャネルリソース内で任意の物理ハイブリッド自動再送要求指示子チャネルリソースを決定する制御器とを有し、
前記送信器は、前記決定された物理ハイブリッド自動再送要求指示子チャネルリソースを使用して確認応答信号を送信し、
前記物理ハイブリッド自動再送要求指示子チャネルリソースは、物理ハイブリッド自動再送要求指示子チャネルグループのインデックス及びシーケンスインデックスを使用して識別され、
前記シーケンスインデックスは、前記データパケットを送信するために使用される１番目の物理リソースブロックのインデックスと、前記物理ハイブリッド自動再送要求指示子チャネルグループの個数と、前記リンク方式に従って受信された復調基準信号のインデックス及び各物理ハイブリッド自動再送要求指示子チャネルグループの物理ハイブリッド自動再送要求指示子チャネルの個数を使用して定義されることを特徴とする基地局。
【請求項２】
前記制御器は、前記データパケットを送信するために使用される１番目の物理リソースブロックのインデックスと前記リンク方式に従って受信された復調基準信号のインデックスとの組み合せに基づいて前記複数の物理ハイブリッド自動再送要求指示子チャネルリソース内で任意の前記物理ハイブリッド自動再送要求指示子チャネルリソースを決定することを特徴とする請求項１に記載の基地局。
【請求項３】
前記リンク方式に従って受信された復調基準信号のインデックスは、復調基準信号の循環シフトのインデックスであることを特徴とする請求項１に記載の基地局。
【請求項４】
前記復調基準信号の循環シフトのインデックスは、アップリンクグラントと関連することを特徴とする請求項３に記載の基地局。
【請求項５】
前記シーケンスインデックスは、下記の数式を使用して定義されることを特徴とする請求項１に記載の基地局。
【数１】
0005576524.tif 000013
前記数式において、Ｉｎｄｅｘｓｅｑｕｅｎｃｅは、前記シーケンスインデックスを示し、ＩｎｄｅｘＤＭＲＳは、前記リンク方式に従って受信された復調基準信号のインデックスを示し、Ｉｎｄｅｘ１ｓｔ  ＰＲＢは、前記データパケットを送信するために使用される１番目の物理リソースブロックのインデックスを示し、Ｎｇｒｏｕｐは、前記物理ハイブリッド自動再送要求指示子チャネルグループの個数を示し、ＮＰＨＩＣＨは、前記各物理ハイブリッド自動再送要求指示子チャネルグループの物理ハイブリッド自動再送要求指示子チャネルの個数を示す。
【請求項６】
前記物理ハイブリッド自動再送要求指示子チャネルグループのインデックスは、前記データパケットを送信するために使用される１番目の物理リソースブロックのインデックスと、前記物理ハイブリッド自動再送要求指示子チャネルグループの個数を使用して定義されることを特徴とする請求項１に記載の基地局。
【請求項７】
通信ネットワークにおけるユーザー装置（ＵＥ）であって、
基地局から複数の物理リソースブロック（ＰＲＢ）を割り当てるスケジューリンググラントを受信する受信器と、
データパケット及び復調基準信号（ＤＭＲＳ）を前記基地局に送信する送信器と、
前記データパケットを送信するために使用される前記複数の物理リソースブロックの少なくとも１つのインデックスと、複数の物理ハイブリッド自動再送要求指示子チャネル（ＰＨＩＣＨ）リソースと前記複数の物理リソースブロックのインデックスと前記複数の復調基準信号のインデックスとの組み合せ間のリンク方式に従う、前記受信される復調基準信号のインデックスに基づいて前記複数の物理ハイブリッド自動再送要求指示子チャネルリソース内で任意の物理ハイブリッド自動再送要求指示子チャネルリソースを決定する制御器とを有し、
前記受信器は、前記決定された物理ハイブリッド自動再送要求指示子チャネルリソースを使用して確認応答信号を受信し、
前記物理ハイブリッド自動再送要求指示子チャネルリソースは、物理ハイブリッド自動再送要求指示子チャネルグループのインデックス及びシーケンスインデックスを使用して識別され、
前記シーケンスインデックスは、前記データパケットを送信するために使用される１番目の物理リソースブロックのインデックスと、前記物理ハイブリッド自動再送要求指示子チャネルグループの個数と、前記リンク方式に従って受信された復調基準信号のインデックス及び各物理ハイブリッド自動再送要求指示子チャネルグループの物理ハイブリッド自動再送要求指示子チャネルの個数を使用して定義されることを特徴とするユーザー装置。
【請求項８】
前記制御器は、前記データパケットを送信するために使用される１番目の物理リソースブロックのインデックスと前記リンク方式に従って受信された復調基準信号のインデックスとの組み合せに基づいて前記複数の物理ハイブリッド自動再送要求指示子チャネルリソース内で任意の物理ハイブリッド自動再送要求指示子チャネルリソースを決定することを特徴とする請求項７に記載のユーザー装置。
【請求項９】
前記リンク方式に従って受信された復調基準信号のインデックスは、復調基準信号の循環シフトのインデックスであることを特徴とする請求項８に記載のユーザー装置。
【請求項１０】
前記復調基準信号の循環シフトのインデックスは、アップリンクグラントと関連することを特徴とする請求項９に記載のユーザー装置。
【請求項１１】
前記シーケンスインデックスは、下記の数式を使用して定義されることを特徴とする請求項７に記載のユーザー装置。
【数２】
0005576524.tif 000014
前記数式において、Ｉｎｄｅｘｓｅｑｕｅｎｃｅは、前記シーケンスインデックスを示し、ＩｎｄｅｘＤＭＲＳは、前記リンク方式に従って受信された復調基準信号のインデックスを示し、Ｉｎｄｅｘ１ｓｔ  ＰＲＢは、前記データパケットを送信するために使用される１番目の物理リソースブロックのインデックスを示し、Ｎｇｒｏｕｐは、前記物理ハイブリッド自動再送要求指示子チャネルグループの個数を示し、ＮＰＨＩＣＨは、前記各物理ハイブリッド自動再送要求指示子チャネルグループの物理ハイブリッド自動再送要求指示子チャネルの個数を示す。
【請求項１２】
前記物理ハイブリッド自動再送要求指示子チャネルグループのインデックスは、前記データパケットを送信するために使用される１番目の物理リソースブロックのインデックスと、前記物理ハイブリッド自動再送要求指示子チャネルグループの個数とを使用して定義されることを特徴とする請求項７に記載のユーザー装置。
【請求項１３】
通信ネットワークにおける基地局の動作方法であって、
複数の物理リソースブロック（ＰＲＢ）を割り当てるスケジューリンググラントをユーザー装置に送信するステップと、
前記ユーザー装置からデータパケット及び復調基準信号（ＤＭＲＳ）を受信するステップと、
前記データパケットを送信するために使用される前記複数の物理リソースブロックの少なくとも１つのインデックスと、複数の物理ハイブリッド自動再送要求指示子チャネル（ＰＨＩＣＨ）リソースと前記複数の物理リソースブロックのインデックスと前記複数の復調基準信号のインデックスとの組み合せ間のリンク方式に従う、前記受信される復調基準信号のインデックスに基づいて前記複数の物理ハイブリッド自動再送要求指示子チャネルリソース内で任意の物理ハイブリッド自動再送要求指示子チャネルリソースを決定するステップと、
前記決定された物理ハイブリッド自動再送要求指示子チャネルリソースを使用して確認応答信号を送信するステップとを有し、
前記物理ハイブリッド自動再送要求指示子チャネルリソースは、物理ハイブリッド自動再送要求指示子チャネルグループのインデックス及びシーケンスインデックスを使用して識別され、
前記シーケンスインデックスは、前記データパケットを送信するために使用される１番目の物理リソースブロックのインデックスと、前記物理ハイブリッド自動再送要求指示子チャネルグループの個数と、前記リンク方式に従って受信された復調基準信号のインデックス及び各物理ハイブリッド自動再送要求指示子チャネルグループの物理ハイブリッド自動再送要求指示子チャネルの個数を使用して定義されることを特徴とする基地局の動作方法。
【請求項１４】
前記複数の物理ハイブリッド自動再送要求指示子チャネルリソース内で任意の前記物理ハイブリッド自動再送要求指示子チャネルリソースは、前記データパケットを送信するために使用される１番目の物理リソースブロックのインデックスと前記リンク方式に従って受信された復調基準信号のインデックスとの組み合せに基づいて決定されることを特徴とする請求項１３に記載の基地局の動作方法。
【請求項１５】
前記リンク方式に従って受信された復調基準信号のインデックスは、復調基準信号の循環シフトのインデックスであることを特徴とする請求項１３に記載の基地局の動作方法。
【請求項１６】
前記復調基準信号の循環シフトのインデックスは、アップリンクグラントと関連することを特徴とする請求項１５に記載の基地局の動作方法。
【請求項１７】
前記シーケンスインデックスは、下記の数式を使用して定義されることを特徴とする請求項１３に記載の基地局の動作方法。
【数３】
0005576524.tif 000015
前記数式において、Ｉｎｄｅｘｓｅｑｕｅｎｃｅは、前記シーケンスインデックスを示し、ＩｎｄｅｘＤＭＲＳは、前記リンク方式に従って受信された復調基準信号のインデックスを示し、Ｉｎｄｅｘ１ｓｔ  ＰＲＢは、前記データパケットを送信するために使用される１番目の物理リソースブロックのインデックスを示し、Ｎｇｒｏｕｐは、前記物理ハイブリッド自動再送要求指示子チャネルグループの個数を示し、ＮＰＨＩＣＨは、前記各物理ハイブリッド自動再送要求指示子チャネルグループの物理ハイブリッド自動再送要求指示子チャネルの個数を示す。
【請求項１８】
前記物理ハイブリッド自動再送要求指示子チャネルグループのインデックスは、前記データパケットを送信するために使用される１番目の物理リソースブロックのインデックスと、前記物理ハイブリッド自動再送要求指示子チャネルグループの個数とを使用して定義されることを特徴とする請求項１３に記載の基地局の動作方法。
【請求項１９】
通信ネットワークにおけるユーザー装置（ＵＥ）の動作方法であって、
複数の物理リソースブロック（ＰＲＢ）を割り当てるスケジューリンググラントを基地局から受信するステップと、
データパケット及び復調基準信号（ＤＭＲＳ）を前記基地局に送信するステップと、
前記データパケットを送信するために使用される前記複数の物理リソースブロックの少なくとも１つのインデックスと、複数の物理ハイブリッド自動再送要求指示子チャネル（ＰＨＩＣＨ）リソースと前記複数の物理リソースブロックのインデックスと前記複数の復調基準信号のインデックスとの組み合せ間のリンク方式に従う、前記受信される復調基準信号のインデックスに基づいて前記複数の物理ハイブリッド自動再送要求指示子チャネルリソース内で任意の物理ハイブリッド自動再送要求指示子チャネルリソースを決定するステップと、
前記受信器は、前記決定された物理ハイブリッド自動再送要求指示子チャネルリソースを使用して確認応答信号を受信するステップとを有し、
前記物理ハイブリッド自動再送要求指示子チャネルリソースは、物理ハイブリッド自動再送要求指示子チャネルグループのインデックス及びシーケンスインデックスを使用して識別され、
前記シーケンスインデックスは、前記データパケットを送信するために使用される１番目の物理リソースブロックのインデックスと、前記物理ハイブリッド自動再送要求指示子チャネルグループの個数と、前記リンク方式に従って受信された復調基準信号のインデックス及び各物理ハイブリッド自動再送要求指示子チャネルグループの物理ハイブリッド自動再送要求指示子チャネルの個数を使用して定義されることを特徴とするユーザー装置の動作方法。
【請求項２０】
前記複数の物理ハイブリッド自動再送要求指示子チャネルリソース内で任意の物理ハイブリッド自動再送要求指示子チャネルリソースは、前記データパケットを送信するために使用される１番目の物理リソースブロックのインデックスと前記リンク方式に従って受信された復調基準信号のインデックスとの組み合せに基づいて決定されることを特徴とする請求項１９に記載のユーザー装置の動作方法。
【請求項２１】
前記リンク方式に従って受信された復調基準信号のインデックスは、復調基準信号の循環シフトのインデックスであることを特徴とする請求項１９に記載のユーザー装置の動作方法。
【請求項２２】
前記復調基準信号の循環シフトのインデックスは、アップリンクグラントと関連することを特徴とする請求項２１に記載のユーザー装置の動作方法。
【請求項２３】
前記シーケンスインデックスは、下記の数式を使用して定義されることを特徴とする請求項１９に記載のユーザー装置の動作方法。
【数４】
0005576524.tif 000016
前記数式において、Ｉｎｄｅｘｓｅｑｕｅｎｃｅは、前記シーケンスインデックスを示し、ＩｎｄｅｘＤＭＲＳは、前記リンク方式に従って受信された復調基準信号のインデックスを示し、Ｉｎｄｅｘ１ｓｔ  ＰＲＢは、前記データパケットを送信するために使用される１番目の物理リソースブロックのインデックスを示し、Ｎｇｒｏｕｐは、前記物理ハイブリッド自動再送要求指示子チャネルグループの個数を示し、ＮＰＨＩＣＨは、前記各物理ハイブリッド自動再送要求指示子チャネルグループの物理ハイブリッド自動再送要求指示子チャネルの個数を示す。
【請求項２４】
前記物理ハイブリッド自動再送要求指示子チャネルグループのインデックスは、前記データパケットを送信するために使用される１番目の物理リソースブロックのインデックスと、前記物理ハイブリッド自動再送要求指示子チャネルグループの個数とを使用して定義されることを特徴とする請求項１９に記載のユーザー装置の動作方法。
【発明の詳細な説明】
【技術分野】
【０００１】
本発明は、通信ネットワークにおける確認応答(acknowledgement)チャンネルを割り当てるための方法及び装置に関するものである。
【背景技術】
【０００２】
本出願は、３７Ｃ.Ｆ.Ｒ.§１.５７によって下記の出版物を参照として包含する。
【０００３】
遠隔通信(telecommunication)は、送信器と受信器との間の通信のために長距離にわたってデータの伝送を可能にする。データは、一般的に無線波によって搬送され、限定された伝送リソースを用いて伝送される。すなわち、無線波は、限定された周波数範囲を用いて一定期間にわたって伝送される。
【０００４】
現在通信システムにおいて、伝送される情報は、複数の変調シンボルを生成するために、まず符号化された後に変調される。このシンボルは、伝送リソースにマッピングされる。通常、データ伝送に利用可能な伝送リソースは、複数の同一の時間区間及び周波数スロットに分割されるので、これをリソース要素と称する。単一のリソース要素又は複数のリソース要素は、データを伝送するために割り当てられることができる。データが伝送される場合、制御信号は、現在のデータ伝送のためのリソース要素の割り当てに関する情報を伝達するためにデータを伴うことができる。したがって、上記データと制御信号を受信する場合に、受信器は、制御信号からデータ伝送に使用されたリソース割り当てに関する情報を獲得し(derive)、この獲得された情報を用いて受信された信号を復号化する。
【０００５】
３ＧＰＰ ＬＴＥ(3rd Generation Partnership Project Long Term Evolution)システムでは、特定のリソース要素は、制御信号伝送のために割り当てられる。したがって、データシンボルは、制御信号の伝送に割り当てられないリソース要素にマッピングされ得る。各データ伝送は、一つ又は複数の伝送ブロックの情報ビットを搬送する。伝送ブロックが最大コードブロックサイズより大きい場合、伝送ブロックの情報ビットは、複数のコードブロックに分割されることができる。伝送ブロックの情報ビットを複数のコードブロックに分割するプロセスは、コードブロック分割(code block segmentation)と呼ばれる。コードブロックサイズの制限された選択とコードブロック分割の際にパッキング(packing)効率を極大化しようとする試みによって、伝送ブロックの複数のコードブロックは、相互に異なるサイズを有する。各コードブロックは、符号化、インタリービング、レートマッチング、及び変調されることである。したがって、伝送のためのデータシンボルは、複数のコードブロックの変調シンボルで構成されることができる。
【０００６】
現在、ＰＨＩＣＨ(Physical Hybrid Automatic Repeat-reQuest(HARQ) Indicator Channel）を割り当てるためのいくつかの方法が提案されている。また、ＰＨＩＣＨは、基地局(ＮｏｄｅＢ）によって、ユーザー装置(ＵＥｓ)によるアップリンク伝送を肯定応答(ＡＣＫ)又は否定応答(ＮＡＫ)に使用されるダウンリンク確認応答チャンネルとしても知られている。
【０００７】
ＰＤＣＣＨ(Physical Downlink Control Channel）の制御チャンネル要素(Control Channel Element：ＣＣＥ）にＰＨＩＣＨ割り当てをリンクする方法は、下記の文献１と文献３に提案されている。これら方法は、効率的なＰＨＩＣＨ割り当てを可能にするが、パケットデータ制御チャンネル(Packet Data Control Channel：ＰＤＣＣＨ)でのＣＣＥスケジューリングの処理が複雑になるという問題点があった。
【０００８】
アップリンク物理リソースブロック(Physical Resource Block：ＰＲＢ）にＰＨＩＣＨ割り当てをリンクする方法は、文献２に提案されている。このような方法は、簡単なＰＨＩＣＨ割り当てとＣＣＥスケジューリングを可能にするが、ＰＨＩＣＨに割り当てられるリソースが度々非効率的に利用される。
【先行技術文献】
【非特許文献】
【０００９】
【非特許文献１】R1-080135,“Implicit assignment of PHICH”，パナソニック
【非特許文献２】R1-080301,“PHICH and mapping to PHICH group”，ノキア、ノキアシーメンスネットワーク
【非特許文献３】R1-080668,“PHICH linking to downlink CCE”，サンスン(三星)、パナソニック
【発明の概要】
【発明が解決しようとする課題】
【００１０】
したがって、上記従来技術の問題点を解決するために、本発明の目的は、確認応答チャンネルを割り当てるための改善された方法及び回路を提供することにある。
【００１１】
本発明の他の目的は、確認応答チャンネルを割り当てるための簡単な方法及び回路を提供することにある。
【００１２】
また、本発明の他の目的は、伝送リソースを効率的に利用するように確認応答チャンネルを割り当てるための簡単な方法及び回路を提供することにある。
【課題を解決するための手段】
【００１３】
上記のような目的を達成するために、本発明の一態様によれば、リンク方式は、複数のＰＨＩＣＨ(Physical Hybrid Automatic Repeat-reQuest Indicator Channel）のインデックスと、ＣＣＥ(Control Channel Element)のインデックス及びＤＭＲＳ(Demodulation  Reference  Signal)のインデックスの組み合わせとの間で設定される。第１のノードは、複数のＣＣＥを用いて第２のノードにスケジューリンググラント(grant)を伝送する。第２のノードからのデータパケットと復調基準信号(ＤＭＲＳ)の受信に応じて、第１のノードは、設定されたリンク方式によって、スケジューリンググラントの伝送に使用されるＣＣＥのうち少なくとも一つのインデックスと、送信されたＤＭＲＳのインデックスによって複数のＰＨＩＣＨ内のＰＨＩＣＨのインデックスを決定する。最後に、第１のノードは、決定されたＰＨＩＣＨのインデックスによって指示されるＰＨＩＣＨを用いて第２のノードに確認応答信号を伝送する。
【００１４】
複数のＰＨＩＣＨは、同一に複数のグループに分割されることができる。
【００１５】
第１のノードは、設定されたリンク方式によって、スケジューリンググラントの伝送に使用される最初のＣＣＥのうちの一つのインデックスと伝送されるＤＭＲＳのインデックスとの組み合わせによって複数のＰＨＩＣＨ内のＰＨＩＣＨを決定できる。
【００１６】
リンク方式は、次のように設定されることができる。
【００１７】
【数１】
0005576524.tif 000002
【００１８】
ここで、ＩｎｄｅｘＰＨＩＣＨはＰＨＩＣＨのインデックスを、Ｉｎｄｅｘ1stCCEはスケジューリンググラントを伝送するのに使用される最初のＣＣＥのインデックスを、ＩｎｄｅｘDMRSは伝送されるＤＭＲＳのインデックスを、Ｎgroupは複数のＰＨＩＣＨのグループ量を、Ｓgroupは各グループのＰＨＩＣＨの量を、それぞれ意味する。
【００１９】
あるいは、リンク方式は次のように設定されることができる。
【００２０】
【数２】
0005576524.tif 000003
【００２１】
又は、リンク方式は次のように設定されることができる。
ＩｎｄｅｘPHICH＝(Ｉｎｄｅｘ1stCCE％Ｎgroup)×Ｓgroup＋ＩｎｄｅｘDMRS
【００２２】
あるいは、リンク方式は次のように設定されることができる。
ＩｎｄｅｘPHICH＝Ｉｎｄｅｘ1stCCE％Ｎgroup＋ＩｎｄｅｘDMRS×Ｎgroup
【００２３】
本発明の他の態様によれば、リンク方式は、複数のＰＨＩＣＨ(Physical Hybrid Automatic Repeat-reQuest Indicator Channel）のインデックスと、物理リソースブロック(ＰＲＢ)のインデックス及び復調基準信号のインデックスの組み合わせとの間で設定される。第１のノードは、第２のノードのデータパケットの伝送のために複数のＰＲＢを割り当てる第２のノードにスケジューリンググラントを伝送する。第２のノードからのデータパケットと復調基準信号(ＤＭＲＳ)の受信に応じて、第１のノードは、設定されたリンク方式によって、スケジューリンググラントの伝送に使用されるＰＲＢのうち少なくとも一つのインデックスと、送信されたＤＭＲＳのインデックスによって複数のＰＨＩＣＨ内のＰＨＩＣＨのインデックスを決定する。最後に、第１のノードは、決定されたＰＨＩＣＨのインデックスによって指示されるＰＨＩＣＨを用いて第２のノードに確認応答信号を伝送する。
【００２４】
第１のノードは、設定されたリンク方式によって、スケジューリンググラントの伝送に使用される最初のＰＲＢのうちの一つのインデックスと伝送されるＤＭＲＳのインデックスとの組み合わせに基づいて複数のＰＨＩＣＨ内のＰＨＩＣＨを決定できる。
【００２５】
リンク方式は、次のように設定されることができる。
【００２６】
【数３】
0005576524.tif 000004
【００２７】
ここで、ＩｎｄｅｘＰＨＩＣＨはＰＨＩＣＨのインデックスを、Ｉｎｄｅｘ1stPRBはスケジューリンググラントを伝送するのに使用される最初のＰＲＢのインデックスを、ＩｎｄｅｘDMRSは伝送されるＤＭＲＳのインデックスを、Ｎgroupは複数のＰＨＩＣＨのグループ量を、Ｓgroupは各グループのＰＨＩＣＨの量を、それぞれ意味する。
【００２８】
あるいは、リンク方式は次のように設定されることができる。
【００２９】
【数４】
0005576524.tif 000005
【００３０】
又は、リンク方式は次のように設定されることができる。
ＩｎｄｅｘPHICH＝(Ｉｎｄｅｘ1stPRB％Ｎgroup)×Ｓgroup＋ＩｎｄｅｘDMRS
【００３１】
あるいは、リンク方式は次のように設定されることができる。
ＩｎｄｅｘPHICH＝Ｉｎｄｅｘ1stPRB％Ｎgroup＋ＩｎｄｅｘDMRS×Ｎgroup
【００３２】
本発明のより完全な理解及びそれに従う多くの利点は、添付された図面との結合を考慮すれば、後述する詳細な説明を参照してより容易に理解でき、上記図で同一の参照シンボルは同一又は類似した構成要素を示す。
【図面の簡単な説明】
【００３３】
【図１】本発明の原理を実行するのに適合したＯＦＤＭ(Orthogonal Frequency Division Multiplexing)送受信器を示す図である。
【図２】ＬＴＥダウンリンク制御チャンネル要素を示す図である。
【図３】ＬＴＥダウンリンクサブフレーム構成を示す図である。
【図４】パケットベースの無線データ通信システムにおける基地局(ＢＳ）とユーザー装置(ＵＥ）のユニットとの間の通信方式を示す図である。
【図５Ａ】ＰＨＩＣＨインデキシング方式を概略的に示す図である。
【図５Ｂ】異なるＰＨＩＣＨインデキシング方式を概略的に示す図である。
【図６Ａ】本発明の原理による一実施形態として、ＤＭＲＳインデックスが０である場合、ＰＨＩＣＨインデックスとＣＣＥインデックスとの間のリンク方式を概略的に示す図である。
【図６Ｂ】本発明の原理による一実施形態として、ＤＭＲＳインデックスが１である場合、ＰＨＩＣＨインデックスとＣＣＥインデックスとの間のリンク方式を概略的に示す図である。
【図６Ｃ】本発明の原理による一実施形態として、ＤＭＲＳインデックスが２である場合、ＰＨＩＣＨインデックスとＣＣＥインデックスとの間のリンク方式を概略的に示す図である。
【図７Ａ】本発明の原理による他の実施形態として、ＤＭＲＳインデックスが０である場合、ＰＨＩＣＨインデックスとＣＣＥインデックスとの間のリンク方式を概略的に示す図である。
【図７Ｂ】本発明の原理による他の実施形態として、ＤＭＲＳインデックスが１である場合、ＰＨＩＣＨインデックスとＣＣＥインデックスとの間のリンク方式を概略的に示す図である。
【図７Ｃ】本発明の原理による他の実施形態として、ＤＭＲＳインデックスが２である場合、ＰＨＩＣＨインデックスとＣＣＥインデックスとの間のリンク方式を概略的に示す図である。
【図８Ａ】本発明の原理によるもう一つの実施形態として、ＤＭＲＳインデックスが０である場合、ＰＨＩＣＨインデックスとＣＣＥインデックスとの間のリンク方式を概略的に示す図である。
【図８Ｂ】本発明の原理によるもう一つの実施形態として、ＤＭＲＳインデックスが１である場合、ＰＨＩＣＨインデックスとＣＣＥインデックスとの間のリンク方式を概略的に示す図である。
【図８Ｃ】本発明の原理によるもう一つの実施形態として、ＤＭＲＳインデックスが２である場合、ＰＨＩＣＨインデックスとＣＣＥインデックスとの間のリンク方式を概略的に示す図である。
【図９Ａ】本発明の原理による一実施形態として、確認応答チャンネルを割り当てる基地局を概略的に示す図である。
【図９Ｂ】本発明の原理による一実施形態として、確認応答チャンネルを割り当てるための手順を簡略に示すフローチャートである。
【図１０Ａ】本発明の原理による一実施形態として、ＤＭＲＳインデックスが０である場合、ＰＨＩＣＨインデックスとＰＲＢインデックスとの間のリンク方式を概略的に示す図である。
【図１０Ｂ】本発明の原理による一実施形態として、ＤＭＲＳインデックスが１である場合、ＰＨＩＣＨインデックスとＰＲＢインデックスとの間のリンク方式を概略的に示す図である。
【図１０Ｃ】本発明の原理による一実施形態として、ＤＭＲＳインデックスが２である場合、ＰＨＩＣＨインデックスとＰＲＢインデックスとの間のリンク方式を概略的に示す図である。
【図１１Ａ】本発明の原理による他の実施形態として、ＤＭＲＳインデックスが０である場合、ＰＨＩＣＨインデックスとＰＲＢインデックスとの間のリンク方式を概略的に示す図である。
【図１１Ｂ】本発明の原理による他の実施形態として、ＤＭＲＳインデックスが１である場合、ＰＨＩＣＨインデックスとＰＲＢインデックスとの間のリンク方式を概略的に示す図である。
【図１１Ｃ】本発明の原理による他の実施形態として、ＤＭＲＳインデックスが２である場合、ＰＨＩＣＨインデックスとＰＲＢインデックスとの間のリンク方式を概略的に示す図である。
【図１２Ａ】本発明の原理によるもう一つの実施形態として、ＤＭＲＳインデックスが０である場合、ＰＨＩＣＨインデックスとＰＲＢインデックスとの間のリンク方式を概略的に示す図である。
【図１２Ｂ】本発明の原理によるもう一つの実施形態として、ＤＭＲＳインデックスが１である場合、ＰＨＩＣＨインデックスとＰＲＢインデックスとの間のリンク方式を概略的に示す図である。
【図１２Ｃ】本発明の原理によるもう一つの実施形態として、ＤＭＲＳインデックスが２である場合、ＰＨＩＣＨインデックスとＰＲＢインデックスとの間のリンク方式を概略的に示す図である。
【図１３】本発明の原理による他の実施形態として、確認応答チャンネルを割り当てるための手順を簡略に示すフローチャートである。
【発明を実施するための形態】
【００３４】
以下、本発明の望ましい実施形態を添付の図面を参照して詳細に説明する。
【００３５】
図１は、ＯＦＤＭ送受信器チェーンを示す。ＯＦＤＭ技術を用いる通信システムにおいて、送信器チェーン１１０で、制御信号又はデータ１１１は、変調器１１２によって変調され、直/並列(Ｓ/Ｐ)変換器１１３によって変換される。逆高速フーリエ変換(ＩＦＦＴ)部１１４は、信号を周波数領域から時間領域に転送するために使用される。サイクリックプレフィックス(ＣＰ)又はゼロプレフィックス(ＺＰ)は、マルチパスフェージングによる影響を回避あるいは緩和させるためにＣＰ挿入部１１６によって各々のＯＦＤＭシンボルに付加される。そのため、信号は、送信器(Ｔｘ)フロントエンド処理部１１７及び少なくとも一つのアンテナ(図示せず)、又は固定ワイヤーもしくはケーブルによって伝送される。この信号は、大気を通じてユニット１１７によって駆動される一つ以上のアンテナから伝送され、マルチパスフェージングに従って受信器に到着する。図１に示すマルチパスフェージングチャンネルは伝送メディア(例えば、大気)と呼ばれ、マルチパスフェージングチャンネルは受信器に、又は送信器に接続された構成要素でないことに注意するべきである。受信器チェーン１２０で、完全な時間及び周波数同期がなされたと仮定すると、受信器(Ｒｘ)フロントエンド処理部１２１によって受信される信号は、ＣＰ除去部１２２によって処理される。高速フーリエ変換(ＦＦＴ)部１２４は、後続処理のために受信された信号を時間領域から周波数領域に転送する。
【００３６】
ＬＴＥシステムにおいて、一部のリソース、すなわち制御チャンネル要素は、ダウンリンク制御チャンネル伝送のために予備されている。制御チャンネル候補セットは、ダウンリンク制御チャンネルのために予備された制御チャンネル要素によって構成されることができる。各ダウンリンク制御チャンネルは、制御チャンネル候補セットのうちの一つで伝送されることができる。図２に、制御チャンネル要素と制御チャンネル候補セットの一例を示す。この例において、１１個の制御チャンネル候補セットは、６個の制御チャンネル要素で構成され得る。本願の残りでは、このような制御チャンネル候補セットを制御チャンネルリソースセット、あるいは簡単にリソースセットと称する。
【００３７】
図３に、３ＧＰＰ  ＬＴＥシステムのダウンリンクサブフレーム構成を示す。３ＧＰＰ  ＬＴＥシステムにおいて、時間及び周波数リソースは、複数のリソースブロック(ＲＢ）２１０に分割できる。各リソースブロック２１０は、時間及び周波数領域で複数のリソース要素２１１にさらに分割されることができる。図３に示すように、一つのＯＦＤＭシンボルは、同一の期間に対応する一連のリソース要素を用いて伝送されることができる。典型的な構成において、各サブフレームは、１ｍｓの長さであり、1４個のＯＦＤＭシンボルを包含する。サブフレーム内のＯＦＤＭシンボルは、０から１３のインデックスを有すると仮定する。アンテナ０及び１に対する基準シンボル(ＲＳ）は、ＯＦＤＭシンボル０，４，７，１１に位置する。アンテナ２及び３に対するＲＳは、存在する場合、ＯＦＤＭシンボル２、８に位置する。ＣＣＦＩ(Control Channel Format Indicator)、確認応答信号(ＡＣＫ)、ＰＤＣＣＨ(Packet  Data  Control  Channel)信号を含む制御チャンネル信号は、最初に１、２、又は３個のＯＦＤＭシンボルで伝送される。制御チャンネル信号に使用されるＯＦＤＭシンボルの個数は、ＣＣＦＩで示される。データチャンネル信号、すなわちＰＤＳＣＨ(Physical Downlink Shared Channel)信号は、他のＯＦＤＭシンボルで伝送される。
【００３８】
図４は、パケットベースの無線データ通信システムにおける基地局(ＢＳ）とユーザー装置(ＵＥ）のユニットとの間の通信方式を示す。まず、ＢＳ２５０は、ＵＥ２６０にアップリンクグラントを伝送してアップリンク伝送をスケジューリングする(ステップ２７０)。アップリンクグラントに応答して、ＵＥ２６０は、データとＤＭＲＳをＢＳ２５０に伝送する。ＢＳ２５０は、ＵＥ２６０から伝送されたデータを受信した後に、ダウンリンク確認応答チャンネルを用いて肯定応答メッセージ又は否定応答メッセージを伝送できる。
【００３９】
本発明では、効率的な確認応答チャンネルを割り当てる設計を提供する。
【００４０】
本発明の態様、特徴、及び利点は、本発明を遂行するための最良の形態を含む多数の特定実施形態及び実現を簡単に示すことによって、下記の詳細な説明から容易に明らかになる。また、本発明は、その他及び異なる実施形態も可能であり、そのさまざまな詳細は本発明の精神及び範囲を逸脱することなく多様で明白な側面で変更されることができる。したがって、図面及び説明は、本来の例示として見なされ、限定的なものと見なされない。本発明は、添付の図面において限定的でなく、例として示される。次の例示では、３ＧＰＰ  ＬＴＥシステムでのＰＨＩＣＨ(ダウンリンク確認応答チャンネル)を一例として用いる。しかしながら、ここで例示された技術は、適用可能な場合、アップリンク確認応答チャンネルの割り当て及び他のシグナリング又は制御チャンネル、そしてその他のシステムで使用できるものである。
【００４１】
まず、２個の相互に異なるＡＣＫチャンネルインデキシング方式を提供する。ＰＨＩＣＨチャンネルは、グループで伝送され、各グループはＳgroupＰＨＩＣＨチャンネルを含む。ＰＨＩＣＨチャンネルの全体数をＮＰＨＩＣＨとして表す。ＰＨＩＣＨグループの数はＮgroup＝ＮＰＨＩＣＨ/Ｓgroupとして表す。ＰＨＩＣＨグループの各ＰＨＩＣＨチャンネルは、異なる拡散シーケンス及び/又は異なる同相(In-phase)又は直交位相(Quadrature-phase)ブランチ(branch)を用いて伝送される。簡単にするために、グループ内のＰＨＩＣＨチャンネルのインデックスはＩｎｄｅｘsequenceとして示される。また、ＰＨＩＣＨチャンネルが属するＰＨＩＣＨグループのインデックスはＩｎｄｅｘgroupとして示される。図５Ａに示すように、インデキシング方式は、シーケンスインデックスをまず増加させ、その後にグループインデックスを増加させる。
ＩｎｄｅｘPHICH＝Ｉｎｄｅｓｘgroup×Ｓgroup＋Ｉｎｄｅｘsequence    式(１)
【００４２】
あるいは、図５Ｂに示すように、まずグループインデックスを増加させてからシーケンスインデックスを増加させることによってＰＨＩＣＨチャンネルをインデキシングできる。
ＩｎｄｅｘPHICH＝Ｉｎｄｅｘgroup＋Ｉｎｄｅｘsequence×Ｎgroup    式(２)
【００４３】
本発明の原理による第１の実施形態において、アップリンク伝送を確認するＰＨＩＣＨは、上記のアップリンク伝送のためのアップリンクグラントを伝送するのに使用されるＣＣＥの少なくとも一つのインデックスと、アップリンク伝送に使用されるＤＭＲＳのインデックスによって割り当てられる。ＤＭＲＳは、アップリンクデータパケットと共に伝送される。ＤＭＲＳの目的は、ＢＳ受信器がアップリンク伝送を検出するように助けるものである。多くの相互に異なるシーケンスは、ＤＭＲＳを生成するのに使用可能である。ＵＥは、ＤＭＲＳインデックスで表示される一つのアップリンク伝送のためのＤＭＲＳを生成するのに、このようなシーケンスのうちの一つを使用する。例えば、ＰＨＩＣＨは、アップリンクグラントの伝送に使用されるＰＤＣＣＨの最初のＣＣＥインデックスとＤＭＲＳのインデックスによって割り当てられることができる。ＤＭＲＳのインデックスは、大きく、ＤＭＲＳシーケンスのインデックス、又はＤＭＲＳシーケンスのサイクリックシフトのインデックス、あるいはこれらの組み合わせとして定義されることができる。アップリンクグラントに使用される最初のＣＣＥのインデックスは、Ｉｎｄｅｘ1stCCEとして示される。アップリンク伝送のためのＤＭＲＳのインデックスは、ＩｎｄｅｘDMRSとして示される。ＰＨＩＣＨ割り当ては、次の式によって決定されることができる。
Ｉｎｄｅｘgroup＝Ｉｎｄｅｘ1stCCE％Ｎgroup    式(３)
【００４４】
【数５】
0005576524.tif 000006
【００４５】
【数６】
0005576524.tif 000007
【００４６】
は、ｘより小さいか、又は等しい最大整数である。ｘ％ｙは、ｘをｙで割った余りであることに留意するべきである。アップリンクＨＡＲＱプロセスに対して割り当てられたＰＨＩＣＨインデックスはＩｎｄｅｘPHICHとして表される。式(３）と式(４)に基づき、ＰＨＩＣＨインデックスは、式(１)又は式(２)のように計算できる。言い換えれば、ＰＨＩＣＨインデックスは下記の式によって計算できる。
【００４７】
【数７】
0005576524.tif 000008
【００４８】
又は
【００４９】
【数８】
0005576524.tif 000009
【００５０】
図６Ａ〜図６Ｃに、式(３)、式(４)、及び式(５)でのＰＨＩＣＨインデックスと、ＣＣＥインデックス及びＤＭＲＳインデックスとの間のリンク方式の効果を示す。図６Ａは，ＤＭＲＳインデックスであるＩｎｄｅｘDMRSが０である場合、式(３)、式(４)、及び式(５)に基づいて設定されたリンク方式を示す。図６Ｂは、ＩｎｄｅｘDMRSが１である場合に設定されたリンク方式を示す。図６Ｃは、ＩｎｄｅｘDMRSが２である場合に設定されたリンク方式を示す。
【００５１】
ＰＨＩＣＨインデックスと、ＣＣＥインデックス及びＤＭＲＳインデックスとの間のリンクあるいは割り当て方式を設定するために、式(３)〜(６)に示す式以外に多くの公式があり得ることは明らかである。例えば、ＰＨＩＣＨ割り当ては、最初のＣＣＥのインデックスとＤＭＲＳのインデックスに基づいて次のように決定されることができる。
Ｉｎｄｅｘsequence＝ＩｎｄｅｘDMRS    式(７)
Ｉｎｄｅｘgroup＝Ｉｎｄｅｘ1stCCE％Ｎgroup    式(８)
【００５２】
式(７)及び式(８)に基づき、ＰＨＩＣＨインデックスは、式(１)又は式(２)のように計算できる。言い換えれば、ＰＨＩＣＨインデックスは下記の式によって計算できる。
ＩｎｄｅｘPHICH＝(Ｉｎｄｅｘ1stCCE％Ｎgroup)×Ｓgroup＋ＩｎｄｅｘDMRS    式(９)
又は
ＩｎｄｅｘPHICH＝Ｉｎｄｅｘ1stCCE％Ｎgroup＋ＩｎｄｅｘDMRS×Ｎgroup    式(１０)
【００５３】
図７Ａ〜図５Ｃは、例えば、式(７)、式(８)、及び式(１０)に基づいてＰＨＩＣＨインデックスと、ＣＣＥインデックス及びＤＭＲＳインデックスとの間のリンク方式の効果を示す。図７Ａは、ＤＭＲＳインデックスであるＩｎｄｅｘDMRSが０である場合に式(７)、(８)、及び(１０)に基づいて設定されたリンク方式を示す。図７Ｂは、ＩｎｄｅｘDMRSが１である場合に設定されたリンク方式を示す。図７Ｃは、ＩｎｄｅｘDMRSが２である場合に設定されたリンク方式を示す。
【００５４】
同様に、他の例として、式(７)、(８)及び(９)に基づいてＰＨＩＣＨインデックスと、ＣＣＥインデックス及びＤＭＲＳインデックスとの間のリンク方式の効果は、図８Ａ〜図８Ｃに示す。
【００５５】
図９Ａは、本発明の原理による一実施形態として、確認応答チャンネルを割り当てる基地局を概略的に示す。図９Ｂは、本発明の原理による一実施形態として、確認応答チャンネル割り当てに対する手順を簡略に示すフローチャートである。図９Ａに示すように、基地局３００は、格納回路３１０、制御回路３２０、送信器３３０、及び受信器３４０で構成される。図９Ｂを参照すると、まず格納回路３１０は、ＰＨＩＣＨのインデックスと、ＣＣＥのインデックス及びＤＭＲＳのインデックスの組み合わせとの間で設定されたリンク方式を格納する(ステップ４１０)。送信器３３０は、複数のＣＣＥを用いてスケジューリンググラントをユーザー装置(ＵＥ）のユニットに伝送する(ステップ４２０)。受信器３４０は、ＵＥからデータパケットとＤＭＲＳを受信する(ステップ４３０)。制御回路３２０は、格納回路３１０に格納されたリンク方式によって、スケジューリンググラントの伝送に使用されるＣＣＥの少なくとも一つのインデックスと、受信されたＤＭＲＳのインデックスに基づいて複数のＰＨＩＣＨ内のＰＨＩＣＨのインデックスを決定する(ステップ４４０)。送信器３３０は、ＰＨＩＣＨの決定されたインデックスによって指示されるＰＨＩＣＨを用いて確認応答信号を伝送する(ステップ４５０)。
【００５６】
ＰＨＩＣＨインデックスを決定するための本発明の第１の実施形態は、基地局とユーザー装置でともに実現され得る。ＵＥの側で、ＢＳから確認応答信号を受信する場合、ＵＥは、ＣＣＥインデックスとＤＭＲＳインデックスに従ってＰＨＩＣＨインデックスを決定できる。このように、ＵＥは、ＢＳが明確にＰＨＩＣＨチャンネルのインデックスを示していなくても、聞いているＰＨＩＣＨチャンネルを知るようになる。スケジューリンググラントを受信するために、ＵＥは、制御チャンネルを復号化する必要がある。ＣＣＥ又はＣＣＥの組み合わせの個数は限定されている。ＵＥは、どのＣＣＥを通じてスケジューリンググラントがＵＥに伝送されるかを決定するために複数の仮設を試みる必要がある(これは、通常に“ブラインド復号化”と称する）。ＵＥは、ＵＥに伝送されるスケジューリンググラントのみを復号化できる。一旦、ＵＥがスケジューリンググラントを復号化すると、ＵＥは、ＣＣＥインデックスを知ることができる。
【００５７】
本発明の原理による第２の実施形態において、アップリンク伝送を確認するＰＨＩＣＨは、アップリンク伝送を送信するのに使用されるＰＲＢの少なくとも一つのインデックスと、アップリンク伝送に使用されるＤＭＲＳのインデックスによって割り当てられる。例えば、ＰＨＩＣＨは、アップリンク伝送の最初のＰＲＢインデックスとＤＭＲＳのインデックスによって割り当てられることができる。ＤＭＲＳのインデックスは、大きくＤＭＲＳシーケンスのインデックス、又はＤＭＲＳシーケンスのサイクリックシフトのインデックス、あるいはこれらの組み合わせとして定義できることに注意する。アップリンク伝送に使用される最初のＰＲＢのインデックスは、Ｉｎｄｅｘ1stPRBとして表す。アップリンク伝送に対するＤＭＲＳのインデックスは、ＩｎｄｅｘDMRSとして表す。ＰＨＩＣＨ割り当ては、次の式によって決定されることができる。
Ｉｎｄｅｘgroup＝Ｉｎｄｅｘ1stPRB％Ｎgroup    式(１１)
【００５８】
【数９】
0005576524.tif 000010
【００５９】
アップリンクＨＡＲＱプロセスに対して割り当てられたＰＨＩＣＨインデックスはＩｎｄｅｘPHICHとして表す。式(１１）と式(１２)に基づき、ＰＨＩＣＨインデックスは、式(１)又は式(２)のように計算できる。言い換えれば、ＰＨＩＣＨインデックスは次の式によって計算できる。
【００６０】
【数１０】
0005576524.tif 000011
【００６１】
又は
【００６２】
【数１１】
0005576524.tif 000012
【００６３】
式(１１)、式(１２)、及び式(１３)でのＰＨＩＣＨインデックスと、ＰＲＢインデックス及びＤＭＲＳインデックスとの間のリンク方式の効果は、図１０Ａ〜図６Ｃに示す。図１０Ａは、ＤＭＲＳインデックスであるＩｎｄｅｘDMRSが０である場合、式(１１)、(１２)、及び(１３)に基づいて設定されたリンク方式を示す。図１０Ｂは、ＩｎｄｅｘDMRSが１である場合に設定されたリンク方式を示す。図１０Ｃは、ＩｎｄｅｘDMRSが２である場合に設定されたリンク方式を示す。
【００６４】
ＰＲＢインデックスとＤＭＲＳインデックスを用いてＰＨＩＣＨのリンクあるいは割り当て方式を設定するために、式(１１)〜式(１４)に示す式以外の他の多くの公式があり得ることは明らかである。例えば、ＰＨＩＣＨ割り当ては、次のように最初のＰＲＢのインデックスとＤＭＲＳのインデックスに基づいて決定されることができる。
Ｉｎｄｅｘsequence＝ＩｎｄｅｘDMRS    式(１５)
Ｉｎｄｅｘgroup＝Ｉｎｄｅｘ1stPRB％Ｎgroup    式(１６)
【００６５】
式(１５)及び式(１６)に基づき、ＰＨＩＣＨインデックスは、式(１)又は式(２)のように計算され得る。言い換えれば、ＰＨＩＣＨインデックスを次によって計算できる。
ＩｎｄｅｘPHICH＝Ｉｎｄｅｘ1stPRB％Ｎgroup＋ＩｎｄｅｘDMRS×Ｎgroup    式(１７)
又は
ＩｎｄｅｘPHICH＝Ｉｎｄｅｘ1stPRB％Ｎgroup＋ＩｎｄｅｘDMRS×Ｎgroup    式(１８)
【００６６】
例えば、式(１５)、(１６)、及び(１８)に基づいたＰＨＩＣＨインデックスと、ＰＲＢインデックス及びＤＭＲＳインデックスとの間のリンク方式の効果が、図１１Ａ〜図５Ｃに示す。図１１Ａは、ＤＭＲＳインデックスであるＩｎｄｅｘDMRSが０である場合に式(１５)、式(１６)、及び式(１８)に基づいて設定されたリンク方式を示す。図１１Ｂは、ＩｎｄｅｘDMRSが１である場合に設定されたリンク方式を示す。図１１Ｃは、ＩｎｄｅｘDMRSが２である場合に設定されたリンク方式を示す。
【００６７】
他の例として、式(１５)、(１６)、及び(１７)に基づいてＰＨＩＣＨインデックスと、ＰＲＢインデックス及びＤＭＲＳインデックスとの間のリンク方式の効果は、図８Ａ〜図８Ｃに示されている。
【００６８】
図１３は、本発明の原理による第２の実施形態として、確認応答チャンネルを割り当てるための手順を簡略的に示すフローチャートである。図１３に示すように、まず、ＰＨＩＣＨのインデックスと、ＰＲＢのインデックス及びＤＭＲＳのインデックスの組み合わせとの間のリンク方式が設定される(ステップ５１０)。一つ又は複数のＰＲＢを割り当てるスケジューリンググラントは、ユーザー装置(ＵＥ）のユニットに伝送される(ステップ５２０)。データパケットとＤＭＲＳは、ＵＥから受信される(ステップ５３０)。複数のＰＨＩＣＨ内の一つのＰＨＩＣＨのインデックスは、上記リンク方式でデータパケットを送信するのに使用されるＰＲＢの少なくとも一つのインデックスと、受信されたＤＭＲＳのインデックスによって決定される(ステップ５４０)。最後に、確認応答信号は、ＰＨＩＣＨの決定されたインデックスで指示されたＰＨＩＣＨを用いて伝送される(ステップ５５０)。
【００６９】
同様に、ＰＨＩＣＨインデックスを決定するための本発明の第２の実施形態は、基地局とユーザー装置で共に実現されることができる。この場合、一旦、ＵＥは、スケジューリンググラントを復号化すると、アップリンク上に伝送されるＵＥに対して割り当てられたＰＲＢのインデックスを知るようになる。
【００７０】
本発明は、ＯＦＤＭシステムにおける確認応答チャンネルを割り当てるための方式を提供する。ＬＴＥと８０２．１６標準は、ともにダウンリンクとアップリンクで確認応答チャンネルを採用する。本発明の提案は、割り当て及びスケジューリング複雑性を最小化しつつ、確認応答リソースの使用を極大化させる。したがって、この方式は、ＬＴＥ又は“ＩＭＴ-ａｄｖａｎｃｅｄ”に向けたこの標準の未来の発展で採択されることができる。また、この提案は、８０２.１６ｍ標準でも適用可能である。
【００７１】
以上、本発明を具体的な実施形態に関して図示及び説明したが、添付した特許請求の範囲により規定されるような本発明の精神及び範囲を外れることなく、形式や細部の様々な変更が可能であることは、当該技術分野における通常の知識を持つ者には明らかである。
【符号の説明】
【００７２】
１１０  送信器チェーン
１１１  制御信号又はデータ
１１２  変調器
１１３  直/並列(Ｓ/Ｐ)変換器
１１４  逆高速フーリエ変換(ＩＦＦＴ)部
１１６  ＣＰ挿入部
１１７  送信器(Ｔｘ)フロントエンド処理部
１２０  受信器チェーン
１２１  受信器(Ｒｘ)フロントエンド処理部
１２２  ＣＰ除去部
１２４  高速フーリエ変換(ＦＦＴ)部
【図１】
0005576524.tif 000017
【図２】
0005576524.tif 000018
【図３】
0005576524.tif 000019
【図４】
0005576524.tif 000020
【図５Ａ】
0005576524.tif 000021
【図５Ｂ】
0005576524.tif 000022
【図６Ａ】
0005576524.tif 000023
【図６Ｂ】
0005576524.tif 000024
【図６Ｃ】
0005576524.tif 000025
【図７Ａ】
0005576524.tif 000026
【図７Ｂ】
0005576524.tif 000027
【図７Ｃ】
0005576524.tif 000028
【図８Ａ】
0005576524.tif 000029
【図８Ｂ】
0005576524.tif 000030
【図８Ｃ】
0005576524.tif 000031
【図９Ａ】
0005576524.tif 000032
【図９Ｂ】
0005576524.tif 000033
【図１０Ａ】
0005576524.tif 000034
【図１０Ｂ】
0005576524.tif 000035
【図１０Ｃ】
0005576524.tif 000036
【図１１Ａ】
0005576524.tif 000037
【図１１Ｂ】
0005576524.tif 000038
【図１１Ｃ】
0005576524.tif 000039
【図１２Ａ】
0005576524.tif 000040
【図１２Ｂ】
0005576524.tif 000041
【図１２Ｃ】
0005576524.tif 000042
【図１３】
0005576524.tif 000043